(57)【要約】      （修正有）【課題】内容物を傷付けることなく容易に持ち運ぶことが可能な包装用容器を提供する。【解決手段】開口部１６外周に側壁部１２上端から外方に延設され下方への折返部１５を有する外周部１４が形成された合成樹脂製容器本体１１と、前記開口部１６を横切る相対向する位置に掛け渡される合成樹脂製バンド部材２０とを備え、前記バンド部材２０の先端には、切込によって外周係着部と内側係着部および前記外周係着部から前記内側係着部側へ突出する舌片が一体に形成されていて、前記バンド部材２０の前記内側係着部を前記容器本体１１の前記側壁部１２上端内側に配置し、前記外周係着部を前記容器本体１１の外周部１４の上面に配置するとともに、前記舌片を前記容器本体１１の前記折返部１５に係着して前記バンド部材２０を前記容器本体１１に取り付けるようにしたことを特徴とする。【選択図】図１
0003176523.tif 000002
【実用新案登録請求の範囲】
【請求項１】
開口部外周に側壁部上端から外方に延設され下方への折返部を有する外周部が形成された合成樹脂製容器本体と、
前記開口部を横切る相対向する位置に掛け渡される合成樹脂製バンド部材とを備え、
前記バンド部材の先端には、切込によって外周係着部と内側係着部および前記外周係着部から前記内側係着部側へ突出する舌片が一体に形成されていて、
前記バンド部材の前記内側係着部を前記容器本体の前記側壁部上端内側に配置し、前記外周係着部を前記容器本体の外周部の上面に配置するとともに、前記舌片を前記容器本体の前記折返部に係着して前記バンド部材を前記容器本体に取り付けるようにした
ことを特徴とする包装用容器。
【請求項２】
前記外周部に前記舌片又は前記内側係着部の先端部を差し込み固定する切込部が形成されている請求項１に記載の包装用容器。
【請求項３】
前記切込部の終端に割れ防止用の小丸部が形成されている請求項２に記載の包装用容器。
【請求項４】
前記外周部に前記舌片の横移動を規制する突部が形成されている請求項１に記載の包装用容器。
【考案の詳細な説明】
【技術分野】
【０００１】
本考案は、イチゴやブドウ、トマト等の比較的軽量な内容物を収納するための合成樹脂製の包装用容器に関する。
【背景技術】
【０００２】
例えば、イチゴやブドウ、トマト等の青果物を店頭等に陳列する際には、合成樹脂製の包装用容器が使用される。この種の包装用容器は、前記青果物等の比較的軽量な内容物を容器本体に直に収納し、必要に応じて合成樹脂フィルム等を内容物と共に容器本体の上部開口に被覆させて、商品として陳列される。
【０００３】
しかるに、包装用容器に収納された青果物等を購入する場合、購入者は商品を落とさないようにするために、容器本体の側壁部を押さえるようにして持つことが多い。その際、合成樹脂製の容器本体が外側から圧迫されることになり、内容物が型くずれしたり、傷みやすくなる等の問題があった。
【考案の概要】
【考案が解決しようとする課題】
【０００４】
本考案は前記の点に鑑みなされたものであり、内容物を傷付けることなく容易に持ち運ぶことが可能な包装用容器を提供するものである。
【課題を解決するための手段】
【０００５】
すなわち、請求項１の考案は、開口部外周に側壁部上端から外方に延設され下方への折返部を有する外周部が形成された合成樹脂製容器本体と、前記開口部を横切る相対向する位置に掛け渡される合成樹脂製バンド部材とを備え、前記バンド部材の先端には、切込によって外周係着部と内側係着部および前記外周係着部から前記内側係着部側へ突出する舌片が一体に形成されていて、前記バンド部材の前記内側係着部を前記容器本体の前記側壁部上端内側に配置し、前記外周係着部を前記容器本体の前記外周部の上面に配置するとともに、前記舌片を前記容器本体の前記折返部に係着して前記バンド部材を前記容器本体に取り付けるようにしたことを特徴とする包装用容器に係る。
【０００６】
請求項２の考案は、前記外周部に前記舌片又は前記内側係着部の先端部を差し込み固定する切込部が形成されている請求項１に記載の包装用容器に係る。
【０００７】
請求項３の考案は、前記切込部の終端に割れ防止用の小丸部が形成されている請求項２に記載の包装用容器に係る。
【０００８】
請求項４の考案は、前記外周部に前記舌片の横移動を規制する突部が形成されている請求項１に記載の包装用容器に係る。
【考案の効果】
【０００９】
請求項１の考案に係る包装用容器は、開口部外周に側壁部上端から外方に延設され下方への折返部を有する外周部が形成された合成樹脂製容器本体と、前記開口部を横切る相対向する位置に掛け渡される合成樹脂製バンド部材とを備え、前記バンド部材の先端には、切込によって外周係着部と内側係着部および前記外周係着部から前記内側係着部側へ突出する舌片が一体に形成されていて、前記バンド部材の前記内側係着部を前記容器本体の前記側壁部上端内側に配置し、前記外周係着部を前記容器本体の前記外周部の上面に配置するとともに、前記舌片を前記容器本体の前記折返部に係着して前記バンド部材を前記容器本体に取り付けるようにしたことから、簡易にバンド部材を容器本体に取り付けることができ、衛生的で内容物を傷付けることなく容易に持ち運ぶことができる。
【００１０】
請求項２の考案は、請求項１において、前記外周部に前記舌片又は前記内側係着部の先端部を差し込み固定する切込部が形成されていることから、バンド部材の横ずれを防止することができる。
【００１１】
請求項３の考案は、請求項２において、前記切込部の終端に割れ防止用の小丸部が形成されているため、切込部の破損を抑制することができる。
【００１２】
請求項４の考案は、請求項１において、前記外周部に前記舌片の横移動を規制する突部が形成されていることから、バンド部材の横ずれを防止することができる。
【図面の簡単な説明】
【００１３】
【図１】本考案の第一実施例に係る包装用容器の斜視図である。
【図２】図１の包装用容器の上面図である。
【図３】図１の包装容器の要部拡大図である。
【図４】図１の包装容器の断面図である。
【図５】本考案の第二実施例に係る包装用容器の要部拡大図である。
【図６】本考案の第三実施例に係る包装用容器の要部拡大図である。
【図７】本考案の第四実施例に係る包装用容器の要部拡大断面図である。
【図８】外周部に係着されたバンド部材の模式図である。
【考案を実施するための形態】
【００１４】
図１，２に示す本考案の第一実施例に係る包装用容器１０は、合成樹脂製容器本体１１と、合成樹脂製バンド部材２０とからなる。この包装用容器１０は、主にイチゴやブドウ、トマト等の比較的軽量な青果物等を内容物とする容器として好適に使用される。
【００１５】
合成樹脂製容器本体１１は、ポリエチレンテレフタレート（ＰＥＴ）やポリスチレン（ＰＳ）等の合成樹脂からなり開口部１６外周に側壁部１２上端から外方へ延設された外周部１４と下方への折返部１５を有する。図１，２に示すように、実施例において、容器本体１１の形状としては、開口部１６が容器本体１１の底面部１３より広口となる長方形状を有し、開口部１６から容器本体１１の底面部１３に向かって側壁部１２が傾斜して形成される。なお、図２において、符号１７は開口部１６の短辺、１８は開口部１６の長辺である。
【００１６】
合成樹脂製バンド部材２０は、容器本体１１と同様にポリエチレンテレフタレート（ＰＥＴ）やポリスチレン（ＰＳ）等の合成樹脂からなり、開口部１６を横切る相対向する位置に掛け渡される。このバンド部材２０では、図３に示すように、その先端に切込によって形成された外周係着部３１、内側係着部３２及び舌片３３が一体に形成されていて、これを用いて容器本体１１に取り付けるように構成されている。
【００１７】
バンド部材１１において、図３，４に示すように、内側係着部３２は容器本体１１の側壁部１２上端内側に配置し、外周係着部３１は外周部１４上面に配置することにより、側壁部１２上端と折返部１５を挟む位置をとる。また、舌片３３は外周係着部３１から内側係着部３２側へ突出し、折返部１５の下端から内側に挿入することにより折返部１５に引っかけて係着する。実施例においては、外周係着部３１はバンド部材２０の先端外側に構成され、舌片３３は外周係着部３１の内側に切込により形成される。内側係着部３２は舌片３３の上方に形成されることにより、外周係着部３１と内側係着部３２が外周部１４を挟持する。これによりバンド部材２０を持ち上げる際に、舌片３３が折返部１５に係止し、また、内側係着部３２の外周係着部３１側への押力Ｄが強くなることから、バンド部材２０の先端が外れにくくなる。なお、バンド部材２０は、先端に鋭角な部分を有しない形状として、誤って指等を負傷したりすることがないように構成されている。
【００１８】
包装用容器１０では、図５に示すように、容器本体１１の外周部１４に舌片３３又は内側係着部３２の先端部３４，３５を差し込み固定する横ずれ防止のための切込部４０を形成してもよい。切込部４０は、長方形状の開口部１６の短辺１７側の外周部１４の中央部付近に形成されることが望ましい。また、切込部４０の終端には、割れ防止用の小丸部４１が形成されている。これにより、切込部４０の終端から亀裂が生じて破損することを抑制することができる。
【００１９】
図５は舌片３３の先端部３４を差し込み固定する切込部４０が形成されている第二実施例に係る包装用容器１０のバンド部材２０の先端を示している。第二実施例においては、舌片３３は折返部１５の下端に係着し、その先端部３４は容器本体１１の外周部１４に形成された切込部４０に下方から差し込まれる。図６は内側係着部３２の先端部３５を切込部４０に差し込み固定する第三実施例に係る包装用容器１０のバンド部材２０の先端を示している。第三実施例では、内側係着部３２の先端部３５が側壁部１２の上端内側から切込部４０に上方から差し込まれる。これにより、バンド部材２０の横ずれが防止され、安定した状態で持ち運ぶことができる。
【００２０】
また、バンド部材２０の横ずれを防止する他の機構として、図７に示すように、外周部１４に突部５０を形成してもよい。図７に示す第四実施例の包装用容器１０では折返部１５に突部５０が形成され、舌片３３の両端を挟む位置に突部５０が配置されていることから、舌片３３の横移動が規制されることにより、バンド部材２０が横ずれすることなく安定して持ち運ぶことができる。また、第四実施例では折返部１５に突部５０が形成されているが、突部５０を外周部１４上面の外周係着部３１を挟む位置に形成してもよい。
【００２１】
以上図示し説明したように、本考案の包装用容器１０では、開口部１６外周に折返部１５を有する外周部１４を備えた容器本体１１に、舌片３３を備えた外周係着部３１と内側係着部３２を備えたバンド部材２０が係着され開口部１６上方に掛け渡されているため、容器本体１１に触れることなく容易に持ち運ぶことができる。したがって持ち運び時に容器本体１１の外側から圧迫されることがなくなり、内容物の型くずれや傷み等の傷付きを回避して持ち運ぶことが可能となる。しかも、バンド部材２０を持つため、持ち運びしやすく、内容物に触れることがないため、衛生的である。
【００２２】
また、バンド部材２０は脱着が容易であるため、内容物が収納されていない包装用容器１０のみを搬送する際には、バンド部材２０を取り外せば、容器本体１１を他の容器本体１１と積み重ねるとともに、バンド部材２０を他のバンド部材２０と束ねることにより、かさばることなく容易に搬送することができる。そして、内容物の収納後は、外周部１４にバンド部材２０の先端に形成された外周係着部３１と内側係着部３２により係着するだけでよく、煩雑な取り付け作業が不要で扱いやすい。
【００２３】
加えて、内側係着部３２が側壁部１２上端内側に当接することにより、折返部１５下端に係着した舌片３３の動きが抑えられ、バンド部材２０が容器本体１１から外れることなく安定して持ち運ぶことができる。
【００２４】
なお、本考案の包装用容器１０は、前述の実施例のみに限定されるものではなく、考案の趣旨を逸脱しない範囲において構成の一部を適宜に変更して実施することができる。また、外周係着部３１、内側係着部３２及び舌片３３の形状は外周部１４に係着可能で指等を負傷しにくい形状であれば、どのような形状であっても構わない。
【００２５】
例えば、図８は、バンド部材２０のバリエーション例を表したものである。（ａ）のバンド部材２０Ａは、舌片３３Ａが台形状に形成された例、（ｂ）のバンド部材２０Ｂは、舌片３３ＢがＶ字状に形成された例である。舌片３３ＢをＶ字状に形成することにより、内側係着部３２Ｂが先細りとなり、外周部１４に形成された切込部４０に挿入することでバンド部材２０Ｂを安定した状態で装着することも考えられる。
【００２６】
また、合成樹脂フィルム等を内容物と共に容器本体１１の開口部１６に被覆させて、内容物を保護してもよい。さらに、バンド部材２０の表面に商品名、ロゴ、イラスト、キャッチフレーズ等の印刷を施し、意匠性や宣伝効果の向上を図ってもよい。
【符号の説明】
【００２７】
１０    包装用容器
１１    合成樹脂製容器本体
１２    側壁部
１４    外周部
１５    折返部
１６    開口部
２０    合成樹脂製バンド部材
３１    外周係着部
３２    内側係着部
３３    舌片
【図１】
0003176523.tif 000003
【図２】
0003176523.tif 000004
【図３】
0003176523.tif 000005
【図４】
0003176523.tif 000006
【図５】
0003176523.tif 000007
【図６】
0003176523.tif 000008
【図７】
0003176523.tif 000009
【図８】
0003176523.tif 000010